(57)【要約】      （修正有）【課題】撮像の前後で音量調整の必要がなく、被検者と操作者との対話が可能となるMRI装置を提供する。【解決手段】MRI装置は、シールドルーム１内に、静磁場発生部と、傾斜磁場発生部と、高周波パルス照射部と、高周波パルス受信部と、高周波パルス受信部が受信した核磁気共鳴信号に基づいて被検者８の断層像を再構成する信号処理部とを有する撮影部と、シールドルーム１の内側に配置され音声を第1の音声電気信号に変換する第１のマイクロホンと、シールドルーム１の外側に配置され第１の音声電気信号を音声に変換する第１のスピーカーと、シールドルーム１の外側に配置され音声を第２の音声電気信号に変換する第２のマイクロホンと、シールドルーム１の内側に配置され第２の音声電気信号を音声に変換する第２のスピーカーと、撮影部の動作に基づいて第1の音声電気信号及び第２の音声電気信号の制御を行う音声信号制御部１３とを備える。【選択図】図１
2017046940.tif 000002
【特許請求の範囲】
【請求項１】
シールドルーム内に、静磁場発生部と、傾斜磁場発生部と、高周波パルス照射部と、高周波パルス受信部と、前記高周波パルス受信部が受信した核磁気共鳴信号に基づいて被検者の断層像を再構成する信号処理部と、を有する撮影部と、前記シールドルームの内側に配置され音声を第１の音声電気信号に変換する第１のマイクロホンと、前記シールドルームの外側に配置され前記第１の音声電気信号を音声に変換する第１のスピーカーと、前記シールドルームの外側に配置され音声を第２の音声電気信号に変換する第２のマイクロホンと、前記シールドルームの内側に配置され前記第２の音声電気信号を音声に変換する第２のスピーカーと、前記撮影部の動作に基づいて前記第１の音声電気信号及び前記第２の音声電気信号の制御を行う音声信号制御部と、
を備えることを特徴とする磁気共鳴イメージング装置。
【発明の詳細な説明】
【技術分野】
【０００１】
本発明は、磁気共鳴イメージング装置に関し、特に、撮像の前後で音量調整の必要がなく、被検者と操作者との対話が可能となる磁気共鳴イメージング装置に関する。
【背景技術】
【０００２】
磁気共鳴イメージング装置(以下、「MRI装置」)では、静磁場空間内に載置された被検者に対し高周波パルスを照射することで、原子核のスピンが励起され核磁気共鳴信号が発生する。このとき、傾斜磁場を所定のシーケンスで印加することにより、核磁気共鳴信号に位置情報が付加される。この位置情報が付加された核磁気共鳴信号を検出し、再構成することにより被検者の断層像を得ることができる。
【０００３】
このようなMRI装置において、外部ノイズによる偽像発生の防止のため、MRI装置の内、静磁場発生源、傾斜磁場コイル、高周波コイル、シムコイル等の計測系はシールドルーム内に設置される。
【０００４】
シールドルーム外の操作者とシールドルーム内の被検者との間で何らかの対話を行おうとする場合には、例えば、特許文献1に記載された技術のようにして、スピーカーやマイクロホンを用いて対話する。
【先行技術文献】
【特許文献】
【０００５】
【特許文献１】特開2002-102203号公報
【発明の概要】
【発明が解決しようとする課題】
【０００６】
対話を行う場合、操作者及び被検者の聴覚、音声に合わせ音量調整が必要とされ、音声の低い操作者及び被検者に対しては、音量を上げる必要がある。
【０００７】
しかし、MRI装置において撮像中に発生する騒音は大きく、被検者との対話が可能な音量のまま撮像を行うと、操作者にとっては騒音が大音量で聞こえることになるため、操作者は撮像を行うたびに手動でボリュームを下げる必要があり、撮像終了時に被検者と対話する場合には再びボリュームを調整する必要があった。
【０００８】
本発明は上記に鑑みて成されたもので、撮像の前後で音量調整の必要がなく、被検者と操作者との対話が可能となる磁気共鳴イメージング装置を提供する事を目的とする。
【課題を解決するための手段】
【０００９】
上記課題を解決するために、本発明に係る磁気共鳴イメージング装置は、
シールドルーム内に、静磁場発生部と、傾斜磁場発生部と、高周波パルス照射部と、高周波パルス受信部と、前記高周波パルス受信部が受信した核磁気共鳴信号に基づいて被検者の断層像を再構成する信号処理部と、を有する撮影部と、シールドルームの内側に配置され音声を第1の音声電気信号に変換する第1のマイクロホンと、シールドルームの外側に配置され第1の音声電気信号を音声に変換する第1のスピーカーと、シールドルームの外側に配置され音声を第2の音声電気信号に変換する第2のマイクロホンと、シールドルームの内側に配置され第2の音声電気信号を音声に変換する第2のスピーカーと、撮影部の動作に基づいて第1の音声電気信号及び第2の音声電気信号の制御を行う音声信号制御部と、を備えることを特徴とする。
【発明の効果】
【００１０】
本発明によれば、撮像の前後で音量調整の必要がなく、被検者と操作者との対話が可能となる磁気共鳴イメージング装置を提供することができる。
【図面の簡単な説明】
【００１１】
【図１】本発明に係るMRI装置の概略構成図。
【図２】本実施例の構成を示す機能ブロック図。
【図３】本実施例の動作を説明するフローチャート。
【発明を実施するための形態】
【００１２】
以下、添付図面に従って本発明のMRI装置について説明する。なお、発明の実施形態を説明するための全図において、同一機能を有するものは同一符号を付け、その繰り返しの説明は省略する。
【００１３】
図1に、本発明に係るMRI装置1の概略構成を示す。
【００１４】
本発明に係るMRI装置は、シールドルーム1の内に、撮影空間に均一な静磁場を発生する静磁場磁石2と、静磁場空間に位置情報を印加する傾斜磁場コイル3と、高周波パルスを発生する照射コイル4と、被検者8から発生する核磁気共鳴信号を受信する受信コイル5と、核磁気共鳴信号に基づいて被検者8の断層像を再構成する信号処理部を備える。静磁場磁石2、傾斜磁場コイル3、照射コイル4はデザイン性、安全性の点からガントリーカバー6に覆われている。
【００１５】
ガントリーカバー6で覆ったもの全体を総称してガントリーと呼ぶ。撮影空間には被検者テーブル7を利用して被検者8を配置する。ガントリーは外部環境や装置自身が発する高周波パルスによるノイズを遮断するためにシールドルーム1内に設置される。シールドルーム1により遮蔽された被検者8と操作者との対話を可能にするインターホン機能を有し、インターホン機能による操作者から被検者8への通話については通話機構を有効とするための通話スイッチ16と操作者側マイクロホン15と音声信号制御部13とガントリー側スピーカー12を配置する。また、音声信号制御部13に撮像の開始と終了を通知可能な撮像制御部19を有する。
【００１６】
被検者8から操作者への音声信号は、常に通話可能となっており、通話スイッチ16を押している間のみ、操作者から被検者8への対話が可能となり、撮像時には撮像制御部19より、音声信号制御部13へ制御信号24が送られ、シールドルーム1内からシールドルーム1の外への音声電気信号の音量を自動調整する機能を有する。また、被検者8が室外の操作者に異常を感じたときに知らせるための装置であるオペレーターコール9を有する。
【００１７】
次に、図2を用い、本実施例の機能を説明する。
【００１８】
図2において、操作者側から被検者8への通話を行うためには、シールドルーム1の外の操作側から通話スイッチ16を操作しながら音声を入力する。入力された音声は、操作者側マイクロホン15により音声電気信号に変換され、増幅器21で増幅された後、ハウリングの抑制、音量制御などを行う音声信号制御部13に供給される。
【００１９】
そして、音声信号制御部13から出力された音声電気信号は、増幅器23により増幅され、シールドルーム1の内外を仲介するラインフィルター10を介して、音声電気信号を音声に変換するガントリー側スピーカー12に供給される。
【００２０】
また、被検者8から操作者側への音声を送信するには、ガントリー内または、その近傍においてガントリー側マイクロホン11に音声を入力する。ガントリー側マイクロホン11から入力された音声電気信号は、シールドルーム1の内外を仲介するラインフィルター10と、増幅器22と、音声信号制御部13と、増幅器20とを介して操作者側スピーカー14に供給され、操作者側スピーカー14から操作者側に伝達される。
【００２１】
操作者側から被検者8へは、通常、音声は送信されない状態にあり、通話スイッチ16を操作することで通話を可能としている。これは、シールドルーム1の外の操作者及び医師の会話が、無意識にシールドルーム1内の被検者8に聞こえると、会話の内容によっては被検者8に不安感や不信感を与えないための機能である。
【００２２】
通話スイッチ16が操作されていない状態では、被検者8の音声がガントリー側マイクロホン11から操作者側スピーカー14に出力される。
【００２３】
図2において、音声信号制御部13は、MRI装置の撮像の開始時と終了時に、撮像制御部19より、制御信号24を受け取り、シールドルーム内からの音声電気信号を下げる、またはオフ(ミュート)する機能を有する。
【００２４】
通常、被検者の音声を電気信号に変換するガントリー側マイクロホン11で受け、音声電気信号を増幅する増幅器20、22とシールドルーム1と中と外を仲介するラインフィルター10と音声電気信号を音声に変換する操作者側スピーカー14により、操作者に伝達される。
【００２５】
撮像時には撮像制御部19より、撮像開始の制御信号24を受信すると音声信号制御部13は撮像室内から外への音声電気信号の音声レベルを下げる、またはミュートする。
【００２６】
撮像終了時は、撮像制御部19は音声信号制御部13へ制御信号24(解除)を送る。音声信号制御部13は制御信号24を受信すると撮像室内から外への音声電気信号の音声レベルを元に戻す、またはミュートを解除する。
【００２７】
撮像中に被検者8が撮像者と対話を取りたい場合はオペレーターコール9を押すことで制御信号25が撮像制御部19へ送られ、撮像制御部19から制御信号24が音声信号制御部13へ送られ、音声信号制御部13は音声電気信号の音声レベルを元に戻す、またミュートを解除する。
【００２８】
また、撮像者が被検者8と対話する場合は、撮像停止信号17か、通話スイッチ16を押すことで、音声信号制御部13は制御信号24を出力し、音声電気信号の音声レベルを元に戻す、またミュートを解除する機能を備える。
【００２９】
ここで、図3のフローチャートを用い、本発明の動作を説明する。
【００３０】
(ステップS301)
音量を初期状態にする。初期状態とは、操作者側スピーカーの音量を所定値に設定し、ガントリー側スピーカーの音量がオフ(ミュート)の状態である。
【００３１】
(ステップS302)
音声信号制御部13は通話スイッチがONであるか否かを検出する。通話スイッチがONである場合(YES)ステップS305に進み、通話スイッチがOFFである場合(NO)ステップS303に進む。
【００３２】
(ステップS303)
音声信号制御部13は、撮像制御部19から撮影開始信号18または撮影停止信号17が送信されているか検出し、撮影中であるかを判断する。撮影中である場合(YES)ステップS304に進み、撮影中でない場合(NO)、ステップS301に戻り、音量を初期状態に設定する。
【００３３】
(ステップS304)
操作者側スピーカーの音量を下げる、もしくはミュート状態にし、撮影室の音が外に流れないようにする。その後、ステップS301に戻る。
【００３４】
(ステップS305)
音声信号制御部13は、撮像制御部19から撮影開始信号18または撮影停止信号17が送信されているか検出し、撮影中であるかを判断する。撮影中である場合(YES)ステップS306に進み、撮影中でない場合(NO)、ステップS307に進む。
【００３５】
(ステップS306)
撮影中の場合、撮影を停止し、ステップS307に進む。
【００３６】
(ステップS307)
ガントリー側スピーカーの音量を所定値に上げる、もしくはミュート状態を解除し、被検者8との双方向通話を可能にする。その後、ステップS302に戻り、通話スイッチがONであるか否かを検出する。
【００３７】
これまで説明した構成はあくまで一例であり、本発明は、技術思想を逸脱しない範囲内で適宜変更が可能である。
【符号の説明】
【００３８】
1  シールドルーム、2  静磁場磁石、3  傾斜磁場コイル、4  照射コイル、5  受信コイル、6  ガントリーカバー、7  被検者テーブル、8  被検者、9  オペレーターコール、10  ラインフィルター、11  ガントリー側マイクロホン、12  ガントリー側スピーカー、13  音声信号制御部、14  操作者側スピーカー、15  操作者側マイクロホン、16  通話スイッチ、17  撮像停止信号、18  撮像開始信号、19  撮像制御部、20〜23  増幅器、24、25  制御信号
【図１】
2017046940.tif 000003
【図２】
2017046940.tif 000004
【図３】
2017046940.tif 000005